(57)【要約】【課題】  観察者がいる位置と表示画面の相対関係のみで異なる情報を与えることができる液晶二重情報表示装置を提供すること。【解決手段】  本発明の液晶二重情報表示装置に使用する液晶表示パネル１０のアクティブマトリクス基板１８は、該基板１１上に、マトリクス状に設けられた遮光性の縦方向の信号線１４及び横方向の走査線と、前記信号線１４及び走査線で囲まれた部分に設けられたＴＦＴ及び画素電極１２と、前記信号線１４、走査線、ＴＦＴ及び画素電極１２の表面を被覆する所定厚さの絶縁膜１５と、前記絶縁膜１５の前記画素電極１２の表面に対向する部分を被覆するように、かつ、前記信号線１４に平行に設けられたストライプ状の遮光膜１６を有する構造により、液晶表示パネル１０は、左右方向にそれぞれ右視点用画素と左視点用画素を交互に備え、複数の観察者に対してそれぞれ異なる画像を同時に観察可能とすることができる。【選択図】        図１
2006276371.tif 000002
【特許請求の範囲】
【請求項１】
左右方向にそれぞれ右視点用画素と左視点用画素を交互に備えたアクティブマトリクス型液晶表示パネルを備え、複数の観察者に対してそれぞれ異なる画像を同時に観察可能にした液晶二重情報表示装置において、前記液晶表示パネルのアクティブマトリクス基板は、該基板上に、マトリクス状に設けられた遮光性の縦方向の信号線及び横方向の走査線と、前記信号線及び走査線で囲まれた部分に設けられた半導体スイッチング素子及び画素電極と、前記信号線、走査線、半導体スイッチング素子及び画素電極の表面を被覆する所定厚さの絶縁膜と、前記絶縁膜上に前記画素電極に対向する部分を被覆するようにかつ前記信号線に平行に設けられたストライプ状の遮光膜を備えていることを特徴とする液晶二重情報表示装置。
【請求項２】
前記信号線は、広幅のものと狭幅のものとが相互に設けられていることを特徴とする請求項１に記載の液晶二重情報表示装置。
【請求項３】
前記ストライプ状の遮光膜は、前記広幅の信号線の左右において同じ幅で前記絶縁膜を介して重なっていることを特徴とする請求項２に記載の液晶二重情報表示装置。
【請求項４】
前記ストライプ状の遮光膜は、前記広幅の信号線の左右において異なる幅で前記絶縁膜を介して重なっていることを特徴とする請求項２に記載の液晶二重情報表示装置。
【請求項５】
前記ストライプ状の遮光膜は、前記広幅の信号線に隣り合う画素の左右端部がそれぞれ同じ幅で露出するように設けられていることを特徴とする請求項２に記載の液晶二重情報表示装置。
【請求項６】
前記ストライプ状の遮光膜は、前記広幅の信号線に隣り合う画素の左右端部がそれぞれ異なる幅で露出するように設けられていることを特徴とする請求項２に記載の液晶二重情報表示装置。
【請求項７】
前記絶縁膜の前記狭幅の信号線に対向する位置も遮光膜で被覆されていることを特徴とする請求項２〜６のいずれかに記載の液晶二重情報表示装置。
【請求項８】
前記遮光膜は光反射膜からなることを特徴とする請求項１〜７のいずれかに記載の液晶二重情報表示装置。
【請求項９】
前記液晶表示パネルのカラーフィルタ基板には、前記ストライプ状の遮光膜の間を遮光するように、ブラックマトリクスが設けられていることを特徴とする請求項１〜８のいずれかに記載の液晶二重情報表示装置。
【請求項１０】
前記絶縁膜の厚さは２〜５μｍであり、前記絶縁膜と液晶表示パネルのカラーフィルタ基板との間の距離は３〜６μｍであることを特徴とする請求項１〜９のいずれかに記載の液晶二重情報表示装置。
【発明の詳細な説明】
【技術分野】
【０００１】
本発明は、液晶二重情報表示装置に関し、特に一つの画面に複数の情報を重ねて表示し、左右の観察位置の差異によってそれぞれ異なる映像を観察可能にし、異なった情報を複数の観察者に対して与えることができる液晶二重情報表示装置に関する。
【背景技術】
【０００２】
例えば、自動車内においては、運転席と助手席との間に表示装置を配置した場合、運転席と助手席とでは表示装置の観察方向が異なる。このような場合、運転席の者には例えばカーナビゲーション装置の映像を観察できるようにし、助手席の者にはその他の映像を観察できるようにできれば便利である。
【０００３】
従来、車両用情報をステレオ画像として表示し、また、２次元画像をも含めて、運転席や助手席などの複数の方向から同一又は異なる画像を見ることができるようにした車両用情報表示装置の発明が特許文献１に開示されている。
【０００４】
この特許文献１に開示されている車両用情報表示装置の発明は、図７に示したように、マイクロコンピュータ１０５で制御駆動した二眼ビデオカメラ１０６によって撮像された画像データが画像処理装置１０７で処理がなされたうえで、車両用情報にかかる左、右視点用の各画像のデータＬＩＤ、ＲＩＤを画像合成器１０１において画素単位で交互に並べて合成し、その合成画像を液晶ディスプレイ１０４に写し出して、その前面に設けられたレンチキュラーレンズ１０８により合成画像を、左視点用及び右視点用の各画像に分離して、反射板１０３を介して観察者のステレオ画像として観察できるようにステレオ用ディスプレイ１０２に表示するものであり、また、変形例として運転席と助手席の各方向から同一ないし異なる画像を見ることができるように画像合成するものが開示されている。
【０００５】
また、従来から、一つの画面に複数の情報を表示し、観察方向によらず異なる情報を複数の観察者に与える多重映像表示装置も知られている。例えば、下記特許文献２には、図８に示すように、観察者Ａ及びＢに応じた複数の異なる映像Ａ及びＢを所定の周期で時分割で表示する表示装置１２１と、複数の異なる映像Ａ及びＢに応じて設けられ、表示装置１２１が対応の映像Ａ又はＢを表示している期間のみ光を透過する開状態となり、その他の期間は光を遮蔽する弊状態となるシャッター１２２及び１２３を備えたものが開示されている。図８では、シャッターとしては観察者のメガネとして構成された液晶シャッターが用いられている。このシャッターは、表示装置の前面に、観察者の観察方向に応じた複数のシャッター構成部材として設けられることもある。
【特許文献１】特開平７−１０３７８４号公報
【特許文献２】特開平８−３２７９６２号公報
【発明の開示】
【発明が解決しようとする課題】
【０００６】
上述したような従来の多重情報表示装置は、二重情報表示装置が用いられており、左右方向の映像を別々に写し出して左視点用と右視点用の２画面を同時に表示している。そして、この映し出した画面から左視点用及び右視点用の画像を作成する技術としては、前述のように、主に３Ｄ方式の表示装置などに用いられる液晶シャッターや、レンチキュラーレンズを必要とする。
【０００７】
ところが、運転席と助手席という位置関係で別々の画像を表示させるには、上記特許文献１に開示されているレンチキュラーレンズを使う方法は、視差の関係で大がかりなものとなる外、スペースを多く必要とするので、取付空間の狭い車用としては適切な方法とはいえない。
【０００８】
また、特許文献２に開示されているものでは、表示の時分割は容易に行なえるものの、その時分割に対応したシャッターが必要であり、シャッターがない場合には複数の情報が重なった状態となるために、表示内容が理解できず、またシャッターと画像情報との同期を取るために観察者の位置がシャッターによって拘束されてしまうという不便さがある。さらにシャッターを装着したまま他のものを見ると、シャッターは半分の時間は暗の状態なので暗く見えることになり、不自然であり、装着感が必ずしも良いとはいえない。
【０００９】
そこで、レンチキュラーレンズの組み込みや、液晶シャッターの装着を必要としない、観察者の位置によって別々の情報が得られる表示装置が求められている。
【００１０】
本願の発明者等は、液晶表示装置の構造に着目して、隣り合うラインごとに交互に右視点用画素と左視点用画素が得られるアクティブマトリックス型液晶表示パネルを得るべく種々実験を重ねた結果、アクティブマトリクス基板の一表面に設けた信号線及び走査線を下部遮光膜とし、画素電極を覆う絶縁膜上の金属膜をストライプ状の上部遮光膜として設け、上部遮光膜の開口位置を調整することによって光の透過方向を制御すれば上述の課題が解決できることを見出した。
【００１１】
すなわち、本発明は、レンチキュラーレンズなどの特別な構成部材を使用せず、また、観察者に観察のための特別の装具を装着させる必要なしに、液晶表示装置のみによって、液晶表示パネルの左右にいる観察者に対してそれぞれ異なる情報を与えることができる二重情報表示装置を提供することを目的とする。
【課題を解決するための手段】
【００１２】
前記課題を解決するために、本願の請求項１の液晶二重情報表示装置に係る発明は、左右方向にそれぞれ右視点用画素と左視点用画素を交互に備えたアクティブマトリクス型液晶表示パネルを備え、複数の観察者に対してそれぞれ異なる画像を同時に観察可能にした液晶二重情報表示装置において、前記液晶表示パネルのアクティブマトリクス基板は、該基板上に、マトリクス状に設けられた遮光性の縦方向の信号線及び横方向の走査線と、前記信号線及び走査線で囲まれた部分に設けられた半導体スイッチング素子及び画素電極と、前記信号線、走査線、半導体スイッチング素子及び画素電極の表面を被覆する所定厚さの絶縁膜と、前記絶縁膜上に前記画素電極に対向する部分を被覆するようにかつ前記信号線に平行に設けられたストライプ状の遮光膜を備えていることを特徴とする。
【００１３】
また、本願の請求項２に係る発明は、請求項１に記載の液晶二重情報表示装置において、前記信号線は、広幅のものと狭幅のものとが相互に設けられていることを特徴とする。
【００１４】
また、本願の請求項３に係る発明は、請求項２に記載の液晶二重情報表示装置において、前記ストライプ状の遮光膜は、前記広幅の信号線の左右において同じ幅で前記絶縁膜を介して重なっていることを特徴とする。
【００１５】
また、本願の請求項４に係る発明は、請求項２に記載の液晶二重情報表示装置において、前記ストライプ状の遮光膜は、前記広幅の信号線の左右において異なる幅で前記絶縁膜を介して重なっていることを特徴とする。
【００１６】
また、本願の請求項５に係る発明は、請求項２に記載の液晶二重情報表示装置において、前記ストライプ状の遮光膜は、前記広幅の信号線に隣り合う画素の左右端部がそれぞれ同じ幅で露出するように設けられていることを特徴とする。
【００１７】
また、本願の請求項６係る発明は、請求項２に記載の液晶二重情報表示装置において、前記ストライプ状の遮光膜は、前記広幅の信号線に隣り合う画素の左右端部がそれぞれ異なる幅で露出するように設けられていることを特徴とする。
【００１８】
また、本願の請求項７に係る発明は、請求項２〜６のいずれかに記載の液晶二重情報表示装置において、前記絶縁膜の前記狭幅の信号線に対向する位置も遮光膜で被覆されていることを特徴とする。
【００１９】
また、本願の請求項８に係る発明は、請求項１〜７のいずれかに記載の液晶二重情報表示装置において、前記遮光膜は光反射膜からなることを特徴とする。
【００２０】
また、本願の請求項９に係る発明は、請求項１〜８のいずれかに記載の液晶二重情報表示装置において、前記液晶表示パネルのカラーフィルタ基板には、前記ストライプ状の遮光膜の間を遮光するように、ブラックマトリクスが設けられていることを特徴とする。
【００２１】
また、本願の請求項１０に係る発明は、請求項１〜９のいずれかに記載の液晶二重情報表示装置において、前記絶縁膜の厚さは２〜５μｍであり、絶縁膜と液晶表示パネルのカラーフィルタ基板との間の距離は３〜６μｍであることを特徴とする。
【発明の効果】
【００２２】
本発明は、上記の構成を備えることにより、以下に述べるような優れた効果を奏する。すなわち、請求項１に係る発明によれば、モレキュラーレンズなどの特別な構成部材を使用することなしに、また、観察者に観察のための特別の装具を装着させる必要なしに、液晶表示パネルのみによって、液晶表示パネルの左右にいる観察者に対してそれぞれ異なる情報を与えることができる二重情報表示装置を提供することができる。
【００２３】
また、請求項２に係る発明によれば、広幅の信号線の左右に位置する各画素を視認できる視野角が大きくなるので、左右の別方向に位置する観察者がそれぞれの情報を明確に視認しやすくなる。
【００２４】
また、請求項３及び４に係る発明によれば、信号線に平行に設けられたストライプ状の遮光膜の間隔が狭くなっているので、最適な液晶表示パネルの表面と観察者の位置との間の角度を小さくできるとともに、ストライプ状の遮光膜が絶縁膜を介して信号線と重なっている左右の幅を変えることによって左右の指向性を対称状態（請求項３）及び非対称状態（請求項４）に変えることができるようになる。
【００２５】
また、請求項５及び６に係る発明によれば、信号線に平行に設けられたストライプ状の遮光膜の間隔が広いので、最適な液晶表示パネルの表面と観察者との間の角度を大きくすることができるとともに、広幅の信号線に隣り合う画素の左右端部の露出幅を変えることによって左右の指向性を対称状態（請求項５）及び非対称状態（請求項６）に変えることができるようになる。
【００２６】
また、請求項７に係る発明によれば、絶縁膜の狭幅の信号線に対向する位置も遮光膜で被覆されているので、この部分から液晶表示パネルの正面への光漏れを防ぐことができるために、液晶表示パネルの左右の観察者に対してそれぞれ異なる情報を明瞭に与えることができるようになる。
【００２７】
また、請求項８に係る発明によれば、遮光膜を光反射膜とすることにより、半透過型液晶表示パネルに対しても適用することができるようになる。
【００２８】
また、請求項９に係る発明によれば、液晶表示パネルの正面から垂線方向にでてくる光がブラックマトリクスにより遮られるので、液晶表示パネルの正面への光漏れがなくなり、左右の観察者に対してそれぞれ異なる情報を明瞭に与えることができるようになる。
【００２９】
また、請求項１０に係る発明によれば、絶縁膜の厚さを２〜５μｍ、絶縁膜と液晶表示パネルのカラーフィルタ基板との間の距離を３〜６μｍとすることによって、自動車の車両内における運転席と助手席との距離に対応した別々の情報を適切に与えることのできる二重画像表示装置が得られる。
【発明を実施するための最良の形態】
【００３０】
以下、図面を参照して本発明の最良の実施形態を説明する。但し、以下に示す実施形態は、本発明の技術思想を具体化するための液晶二重情報表示装置を例示するものであって、本発明をこれらに特定することを意図するものではなく、特許請求の範囲に含まれるその他の実施形態のものも等しく適応し得るものである。
【実施例１】
【００３１】
図１は、実施例１に係る液晶二重情報表示装置で使用する液晶表示パネルの概略構造を示す一部断面図であり、図２は図１のＡ部分の拡大断面図であり、図３は、図１の液晶表示パネルのマトリックス配線とストライプ状の遮光膜の説明のための平面図である。
【００３２】
実施例１の液晶二重情報表示装置は、液晶表示パネル１０及び図示しないバックライト光源を備えている。この液晶表示パネル１０は、ガラス基板１１の表面に、半導体スイッチング素子であるＴＦＴ（図示せず）、画素電極１２、走査線１３（図３参照）及び信号線１４をマトリックス状に配置した上に、表面が平らになるように有機絶縁膜１５を設け、その絶縁膜１５上にＣｒ等の金属からなる遮光膜１６を設けたアクティブマトリクス基板１８と、このアクティブマトリクス基板１８に対向させて、別のガラス基板１９の表面にカラーフィルタ層２０を設け、さらにこのカラーフィルタ層２０の上にＩＴＯ（Indium Tin Oxide）等からなる透明な対向電極２１を設けたカラーフィルタ基板２３を有している。そして、アクティブマトリクス基板１８及びカラーフィルタ基板２３を対向させた間隙に液晶２４が充填されている。なお、両基板１８、２３の外面にはそれぞれ偏光板１７及び偏光板２２が設けられ、また、両基板の内面には遮光膜１６及び対向電極２１上にそれぞれ配向膜２５、２６が施されている。
【００３３】
実施例１の液晶表示パネル１０においては、信号線は左右方向に広幅の信号線１４及び狭幅の信号線１４’が交互に配列されている。そして、それらの信号線１４、１４’ごとに、右視点用画素電極１２Ｒ１、１２Ｇ１、１２Ｂ１と左視点用画素電極１２Ｒ２、１２Ｇ２、１２Ｂ２とを、図１及び図３に示したように、右視点用画素電極１２Ｒ１、広幅の信号線１４、左視点用画素電極１２Ｒ２、狭幅の信号線１４’、右視点用画素電極１２Ｇ１、広幅の信号線１４、左視点用画素電極１２Ｇ２という順次で交互に配設されている。
【００３４】
このうち、信号線１４、１４’及び走査線１３は、Ａｌ／Ｍｏ等の遮光性材料で形成される。したがって、実施例１の液晶表示パネル１０においては、少なくとも信号線１４、１４’が下部遮光膜となり、また画素電極１２を覆う絶縁膜１５上のストライプ状の遮光膜１６が上部遮光膜となるから、液晶表示パネル１０の背面に設けられたバックライト（図示せず）からの光は両遮光膜によって遮光されない経路を通った光のみ液晶表示パネルの前面にいる観察者の目に入射する。
【００３５】
したがって、実施例１の液晶表示パネル１０においては、両信号線１４、１４’とストライプ状の遮光膜の開口部２７の位置との相互関係により、光の透過方向、すなわち指向性を制御することができ、これによって、液晶表示パネル１０の前面にいる複数の観察者に対してそれぞれ異なる画像を異なる方向から同時に観察可能とすることができるようになる。なお、実施例１の液晶表示パネル１０においては、液晶表示パネル１０の正面から垂線方向にでてくる光をブラックマトリクス２８により遮るようにしているので、液晶表示パネルの正面への光漏れがなくなり、左右の観察者に対してそれぞれ異なる情報を明瞭に与えることができるようになる。
【００３６】
また、狭幅の信号線１４’の上側の遮光膜１６は、開口部を設けてもよく設けなくてもよい。この部分に開口部を設ける場合は、液晶表示パネル１０の正面から垂線方向に出てくる光を遮光するために、別途カラーフィルタ層層２０の対応する位置にブラックマトリクスを設ける方がよい。
【００３７】
実施例１の液晶表示パネル１０においては、広幅の信号線１４と狭幅の信号線１４’とは左右いずれかの視点用の画素電極１２を介して交互に設けられているため、この広幅の信号線１４の左右に位置する各画素電極１２を視認できる視野角が大きくなるので、左右の別方向に位置する観察者がそれぞれの情報を明確に視認しやすくなる。
【００３８】
実施例１の液晶表示パネル１０においては、幅広の信号線１４の上に当たる絶縁膜１５の表面にはストライプ状の遮光膜１６が信号線の幅方向の左側を幅ｗ１だけ、右側を幅ｗ２だけ被覆するように設けられており、その他の部分は開口部２７となっている。この開口部２７を介して、左右の観察者が左右それぞれの視点用画素電極１２Ｒ１、１２Ｇ１、１２Ｂ１又は１２Ｒ２、１２Ｇ２、１２Ｂ２を透視して、それぞれの画像情報を観察することができるようになる。この場合、ｗ１＝ｗ２であれば、左右対称の指向性を実現でき、また、ｗ１≠Ｗ２とすれば左右非対称の指向性を実現できるため、左右の観察者が観察する位置に応じて、絶縁膜１５の厚みも考慮した上で、ｗ１及びｗ２を定めることにより開口部２７の位置及び大きさが決まることになる。なお、ｗ１及びｗ２の少なくとも一方は「０」であってもかまわない。
【００３９】
絶縁膜１５上に設けられたストライプ状の遮光膜１６の開口部２７が狭いと透過光量が減少して画面は暗くなるが、ブラックマトリクス２８の幅を小さくできるために、最適な液晶表示パネルの表面と観察者の位置との間の角度を小さくできるので、最適な観察者間の距離を短くすることができる。なお、実施例１の液晶表示パネル１０においては、一般的な液晶表示パネルの明るさの約２／５程度の明るさが得られる。
【００４０】
実施例１の液晶表示パネル１０においては、絶縁膜１５の厚さは２〜５μｍであり、絶縁膜１５と液晶表示パネルのカラーフィルタ基板２３との間の距離は３〜６μｍであることが好ましい。絶縁膜の厚さがこの範囲であると、幅狭の信号線は線幅が細すぎることがなくてすむために遮光膜のパターン制御性が高まる。具体的には、絶縁膜１５の厚さを３μｍ、絶縁膜１５とカラーフィルタ基板２３との間の距離を３μｍ、画素電極１２のピッチを６０μｍ、遮光膜１６の幅を１１０μｍ、遮光膜の開口部の幅を１０μｍとしたところ、左右の各観察点でそれぞれ異なった内容の明瞭な画像情報が得られた。
【実施例２】
【００４１】
次に、実施例２に係る液晶二重情報表示装置で使用する液晶表示パネルを図４〜図５を用いて説明するが、実施例１の液晶表示パネル１０と同一構成部分には同じ参照符号を付与してその詳細な説明は省略する。なお、図４は、実施例２に係る液晶二重情報表示装置で使用する液晶表示パネルの概略構造を示す一部断面図であり、図５は図４のＢ部分の拡大断面図であり、図６は、図４の液晶表示パネルのマトリックス配線とストライプ状の遮光膜の説明のための平面図である。
【００４２】
実施例２の液晶二重情報表示装置で使用する液晶表示パネル１０’は、実施例１の液晶表示パネル１０が幅広の信号線１４の上に当たる絶縁膜１５の表面に設けるストライプ状の遮光膜１６を信号線の幅方向の左側を幅ｗ１だけ及び右側を幅ｗ２だけ被覆するように設けているのに対し、ストライプ状の遮光膜１６は幅広の信号線１４の上を覆ってはおらず、前記広幅の信号線に隣り合う画素の左右端部を露出するように設けたものである。
【００４３】
すなわち、図５に示すように、この実施例２の液晶表示パネル１０は、ストライプ状の遮光膜１６は、広幅の信号線１４に隣り合う画素１２の左右端部がそれぞれ異なる幅Ｗ１及びＷ２で露出するように設けられており、広幅の信号線１４よりも幅の広い開口部２７が形成されている。そして、この開口部２７に対応する位置のカラーフィルタ層層２０には、液晶表示パネル１０の正面から垂線方向にでてくる光を遮光するためのブラックマトリクス２８が設けられている。この場合もＷ１及びＷ２は同じであっても異なっていてもよく、Ｗ１＝Ｗ２であれば、左右対称の指向性を実現でき、また、Ｗ１≠Ｗ２とすれば左右非対称の指向性を実現できる。
【００４４】
この実施例２の液晶表示パネル１０’は、開口部２７の幅が広いため、明るい画面が得られるが、一方では液晶表示パネル１０の正面から垂線方向にでてくる光を遮光するためのブラックマトリクス２８の幅を開口部２７の幅に比例して大きくする必要があるため、最適な液晶表示パネルの表面と観察者の位置との間の角度が大きくなるので、最適な観察者間の距離を長くすることができる。
【００４５】
本発明は上述のように、アクティブマトリクス液晶表示パネルにおいて、アクティブマトリクス基板の信号線と走査線の電極膜を下遮光膜とし、有機絶縁絶縁膜上の金属膜（例えば、反射電極）を上遮光膜として設け、これら上下の遮光膜の位置関係を調整することによって光の透過方向を制御して、左右に隣り合う信号線ごとに右視点用と左視点用画像を映すようにしたので、モレキュラーレンズなど高価な構成部材が不要であり、また液晶シャッターの装着も必要なく、液晶二重情報表示装置を構成できるので、経済的である。
【００４６】
以上、実施例１及び実施例２では透過型の液晶表示パネルを用いて説明したが、本発明は透過型のもののみならず半透過型の液晶表示パネルに対しても適用することができる。この場合、遮光膜１６としてＣｒに変えてＡｌ等の光反射膜を使用すればよい。
【図面の簡単な説明】
【００４７】
【図１】実施例１の液晶二重情報表示装置で使用する液晶表示パネルの概略構造を示す一部断面図である。
【図２】図１のＡ部分の拡大断面図である。
【図３】図１の液晶表示パネルのマトリックス配線とストライプ状の遮光膜の説明のための平面図である。
【図４】実施例２の液晶二重情報表示装置で使用する液晶表示パネルの概略構造を示す一部断面図である。
【図５】図４のＢ部分の拡大断面図である。
【図６】図４の液晶表示パネルのマトリックス配線とストライプ状の遮光膜の説明のための平面図である。
【図７】従来の車両用情報表示装置のブロック図である。
【図８】従来の多重情報表示装置の概要説明図である。
【符号の説明】
【００４８】
１０、１０’    液晶表示パネル
１１            ガラス基板
１２            画素電極
１３            走査線
１４            信号線
１５            絶縁膜
１６            遮光膜
１７            偏光板
１８            アクティブマトリクス基板
１９            ガラス基板
２０            カラーフィルタ層
２１            対向電極
２２            偏光板
２３            カラーフィルタ基板
２４            液晶
２５、２６      配向膜
２７            開口部
２８            ブラックマトリクス
【図１】
2006276371.tif 000003
【図２】
2006276371.tif 000004
【図３】
2006276371.tif 000005
【図４】
2006276371.tif 000006
【図５】
2006276371.tif 000007
【図６】
2006276371.tif 000008
【図７】
2006276371.tif 000009
【図８】
2006276371.tif 000010